(57)【要約】      （修正有）【課題】エレベータ据付時に、かごの昇降位置を検出する検出装置を昇降路の昇降体及び昇降路固定体に容易に且つ正確に取り付けることができるエレベータの検出装置の取付装置を得る。【解決手段】昇降路固定体６によって位置決めされる固定部２３と、固定部を昇降路固定体に着脱自在に固定する固定手段２４と、固定部に設けられ、昇降路固定体の一側に突出された取付基準面２６ａに、カム１２の取付基準１２ａ及び位置スイッチの取付基準を有するゲージ３３ａとを備えることにより、ゲージに設けられたカムの取付基準に基づいてカムをかごに取り付け、同じくゲージに設けられた位置スイッチの取付基準に基づいて位置スイッチを昇降路固定体に取り付ける。【選択図】図５
2007223712.tif 000002
【特許請求の範囲】
【請求項１】
エレベータのかごの昇降位置を検出するカム及び位置スイッチからなる検出装置をエレベータの昇降体及び昇降路固定体に取り付けるための取付装置であって、
前記昇降路固定体によって位置決めされる固定部と、
前記固定部を前記昇降路固定体に着脱自在に固定する固定手段と、
前記固定部に設けられ、前記昇降路固定体の一側に突出された取付基準面に、前記カムの取付基準及び前記位置スイッチの取付基準を有するゲージと、
を備えたことを特徴とするエレベータ用検出装置の取付装置。
【請求項２】
エレベータのかごの昇降位置を検出するカム及び位置スイッチからなる検出装置を前記かご及びかご用ガイドレールに取り付けるための取付装置であって、
前記かご用ガイドレールの背面に一側面が接触することによって位置決めされる固定部と、
前記固定部を前記かご用ガイドレールのフランジ部に着脱自在に固定する固定手段と、
前記固定部に設けられ、前記かご用ガイドレールの一側に突出された取付基準面に、前記カムの取付基準及び前記位置スイッチの取付基準を有するゲージと、
を備えたことを特徴とするエレベータ用検出装置の取付装置。
【請求項３】
固定手段は、
かご用ガイドレールの背面に一側面が接触する第１固定部に設けられた第１係合片と、
前記第１固定部に進退自在な第２固定部に設けられ、前記第１係合片に対向する第２係合片とを備え、
前記第１係合片及び前記第２係合片によってかご用ガイドレールのフランジ部を両側から挟持することにより、前記第１固定部及び前記第２固定部からなる固定部を前記かご用ガイドレールに固定することを特徴とする請求項２に記載のエレベータ用検出装置の取付装置。
【請求項４】
ゲージは、板状を呈し、取付基準面となる一側面に、カムの取付基準となるカム位置罫書線と位置スイッチの取付基準となるスイッチ位置罫書線とが、所定の間隔を有して上下方向に形成されたことを特徴とする請求項１から請求項３の何れかに記載のエレベータ用検出装置の取付装置。
【請求項５】
エレベータのかごの昇降位置を検出するカム及び位置スイッチからなる検出装置をエレベータの昇降体及び昇降路固定体に取り付けるための取付方法であって、
前記カムの取付基準及び前記位置スイッチの取付基準を有するゲージを備えた取付装置を、前記位置スイッチの取付位置に合わせて前記昇降路固定体に取り付けるステップと、
前記取付装置を前記昇降路固定体に取り付けた後、前記ゲージに設けられた前記カムの取付基準に基づいて、前記カムを前記昇降体に取り付けるステップと、
前記取付装置を前記昇降路固定体に取り付けた後、前記ゲージに設けられた前記位置スイッチの取付基準に基づいて、前記位置スイッチを前記昇降路固定体に取り付けるステップと、
を備えたことを特徴とするエレベータ用検出装置の取付方法。
【請求項６】
エレベータのかごの昇降位置を検出するカム及び位置スイッチからなる検出装置を前記かご及びかご用ガイドレールに取り付けるための取付方法であって、
前記カムの取付基準及び前記位置スイッチの取付基準を有するゲージを備えた取付装置を、前記位置スイッチの取付位置に合わせて前記かご用ガイドレールに取り付けるステップと、
前記取付装置を前記かご用ガイドレールに取り付けた後、前記ゲージに設けられた前記カムの取付基準に基づいて、前記カムを前記かごに取り付けるステップと、
前記取付装置を前記かご用ガイドレールに取り付けた後、前記ゲージに設けられた前記位置スイッチの取付基準に基づいて、前記位置スイッチを前記かご用ガイドレールに取り付けるステップと、
を備えたことを特徴とするエレベータ用検出装置の取付方法。
【請求項７】
カムを昇降体又はかごに取り付け、且つ、位置スイッチを昇降路固定体又はかご用ガイドレールに取り付けた後、取付装置を前記昇降路固定体又は前記かご用ガイドレールから取り外すステップを備えたことを特徴とする請求項５又は請求項６に記載のエレベータ用検出装置の取付方法。
【発明の詳細な説明】
【技術分野】
【０００１】
この発明は、かごの昇降位置を検出するカム及び位置スイッチからなる検出装置をエレベータの昇降体及び昇降路固定体に取り付けるための取付装置、並びに、その取付方法に関するものである。
【背景技術】
【０００２】
エレベータ装置には、通常、昇降路内を昇降するかごの昇降位置を検出する検出装置が備えられており、例えば、かごや釣合い重り等の昇降体にカムが、また、ガイドレールや昇降路梁等の昇降路固定体に、上記カムに係合して動作する位置スイッチが設けられる。上記カム及び位置スイッチを備えた検出装置では、カムと位置スイッチとの設置間隔にずれが生じると、昇降体が検出位置に達した際に位置スイッチの係合子が十分に押し込まれずに、かごの昇降位置を正確に検出することができなくなってしまう。このため、検出装置の取付後であっても、一定期間毎に上記設置間隔の検査等が必要となる。なお、カムと位置スイッチとの上記設置間隔を検査するための従来技術には、上記設置間隔の測定位置にあらかじめ間隔測定装置を設置しておき、その検査時に、かごを測定位置に移動させることによって、上記間隔測定装置の目盛を読み取るように構成したものが提案されている（例えば、特許文献１参照）。
【０００３】
また、上記構成の検出装置では、位置スイッチの係合子に係合するカムの動作面が所定の垂直度を有していないと、位置スイッチの動作タイミングが所望の検出位置からずれてしまい、かかる場合にも、かごの昇降位置を正確に検出することができなくなってしまう。このため、従来では、エレベータ装置の据付時に、上記検出装置を昇降路の昇降体及び昇降路固定体に取り付ける場合には、先ず、動作面が所定の垂直度を有するようにかご等にカムを取り付け、その後、このカムの動作面を基準にして、位置スイッチの取付を行っていた。
【０００４】
【特許文献１】特開２００１−４８４３６号公報
【発明の開示】
【発明が解決しようとする課題】
【０００５】
従来では、カムの取付基準と位置スイッチの取付基準が異なっていたため、検出装置の取付及び位置調整に多大な時間と労力とを要し、エレベータ装置の据付作業性が著しく悪化するといった問題が生じていた。また、位置スイッチは、カムの取付後でなければ昇降路固定体への取付を開始することができないため、検出装置の取付に際し、柔軟な対応を図ることができないといった問題もあった。
【０００６】
なお、特許文献１記載のものは、検出装置取付後にカムと位置スイッチとの設置間隔を測定するためのものであり、本発明とはその構成を全く異にするものである。
【０００７】
この発明は、上述のような課題を解決するためになされたもので、その目的は、エレベータ据付時に、かごの昇降位置を検出する検出装置を昇降路の昇降体及び昇降路固定体に容易に且つ正確に取り付けることができるエレベータの検出装置の取付装置、並びに、その取付方法を提供することである。
【課題を解決するための手段】
【０００８】
この発明に係るエレベータ用検出装置の取付装置は、エレベータのかごの昇降位置を検出するカム及び位置スイッチからなる検出装置をエレベータの昇降体及び昇降路固定体に取り付けるための取付装置であって、昇降路固定体によって位置決めされる固定部と、固定部を昇降路固定体に着脱自在に固定する固定手段と、固定部に設けられ、昇降路固定体の一側に突出された取付基準面に、カムの取付基準及び位置スイッチの取付基準を有するゲージとを備えたものである。
【０００９】
また、この発明に係るエレベータ用検出装置の取付装置は、エレベータのかごの昇降位置を検出するカム及び位置スイッチからなる検出装置をかご及びかご用ガイドレールに取り付けるための取付装置であって、かご用ガイドレールの背面に一側面が接触することによって位置決めされる固定部と、固定部をかご用ガイドレールのフランジ部に着脱自在に固定する固定手段と、固定部に設けられ、かご用ガイドレールの一側に突出された取付基準面に、カムの取付基準及び位置スイッチの取付基準を有するゲージとを備えたものである。
【００１０】
この発明に係るエレベータ用検出装置の取付方法は、エレベータのかごの昇降位置を検出するカム及び位置スイッチからなる検出装置をエレベータの昇降体及び昇降路固定体に取り付けるための取付方法であって、カムの取付基準及び位置スイッチの取付基準を有するゲージを備えた取付装置を、位置スイッチの取付位置に合わせて昇降路固定体に取り付けるステップと、取付装置を昇降路固定体に取り付けた後、ゲージに設けられたカムの取付基準に基づいて、カムを昇降体に取り付けるステップと、取付装置を昇降路固定体に取り付けた後、ゲージに設けられた位置スイッチの取付基準に基づいて、位置スイッチを昇降路固定体に取り付けるステップとを備えたものである。
【００１１】
また、この発明に係るエレベータ用検出装置の取付方法は、エレベータのかごの昇降位置を検出するカム及び位置スイッチからなる検出装置を前記かご及びかご用ガイドレールに取り付けるための取付方法であって、カムの取付基準及び位置スイッチの取付基準を有するゲージを備えた取付装置を、位置スイッチの取付位置に合わせてかご用ガイドレールに取り付けるステップと、取付装置をかご用ガイドレールに取り付けた後、ゲージに設けられたカムの取付基準に基づいて、カムをかごに取り付けるステップと、取付装置をかご用ガイドレールに取り付けた後、ゲージに設けられた位置スイッチの取付基準に基づいて、位置スイッチをかご用ガイドレールに取り付けるステップとを備えたものである。
【発明の効果】
【００１２】
この発明は、エレベータのかごの昇降位置を検出するカム及び位置スイッチからなる検出装置をエレベータの昇降体及び昇降路固定体に取り付けるための取付装置であって、昇降路固定体によって位置決めされる固定部と、固定部を昇降路固定体に着脱自在に固定する固定手段と、固定部に設けられ、昇降路固定体の一側に突出された取付基準面に、カムの取付基準及び位置スイッチの取付基準を有するゲージとを備える構成としたことで、エレベータ据付時に、かごの昇降位置を検出する検出装置を昇降路の昇降体及び昇降路固定体に容易に且つ正確に取り付けることができる。
【発明を実施するための最良の形態】
【００１３】
この発明をより詳細に説明するため、添付の図面に従ってこれを説明する。また、各図中、同一又は相当する部分には同一の符号を付しており、その重複説明は適宜に簡略化ないし省略する。なお、以下においては、最初に据付完了後の一般的なエレベータ装置の構成について説明し、その後、本発明に係るエレベータ用検出装置の取付装置及び取付方法について説明する。
【００１４】
図１はエレベータ装置据付後の状態を示す平面図、図２はエレベータ装置据付後の状態を示す要部側面図であり、本発明に係るエレベータ用検出装置の取付装置を使用して、後述する検出装置等を取り付けた後の状態を示したものである。図１及び図２において、１は四方を昇降路壁１ａ乃至１ｄによって囲まれたエレベータの昇降路、２はエレベータ昇降路１内を昇降するかご、３はエレベータ昇降路１内をかご２とは逆方向に昇降する釣合い重りであり、上記かご２と釣合い重り３とは主索（図示せず）等に代表される懸架手段により釣瓶式に懸架されている。
【００１５】
ここで、上記かご２は、乗客が乗るかご室４と、主索の端部が連結されてかご室４を支持するかご枠５とを備えている。また、昇降路１内には、一対のかご用ガイドレール６がかご２を間に挟んで互いに対向するように立設されており、上記かご２は、かご枠５に設けられたガイドシューやガイドローラ等の案内手段７が上記かご用ガイドレール６に係合することによって、その昇降方向が案内されている。なお、上記かご枠５は、略四角環状を呈してその中空部にかご室４が配置されており、かご室４の両側に配置されたかご枠柱８と、かご室４の下方に配置されて両かご枠柱８の下端部間を接続するとともに、かご室４が載置されたかご枠下梁（図示せず）と、かご室４の上方に配置されて両かご枠柱８の上端部間を接続するかご枠上梁９とから構成される。また、上記かご用ガイドレール６は、レールブラケット１０等を介して昇降路梁や昇降路壁に固定され、例えば、乗場出入口（図示せず）が形成された昇降路壁１ｃを間に挟んで対向する昇降路壁１ａ及び１ｂに支持される。
【００１６】
また、エレベータ装置には、昇降路１内を昇降するかご２の昇降位置を検出する検出装置１１が備えられている。そして、上記検出装置１１は、かご２やかご２に連動して昇降路１内を昇降する釣合い重り３等の昇降体に設けられ、この昇降体とともに昇降路１内を昇降するカム１２と、かご用ガイドレール６や昇降路壁１ａ乃至１ｄ等の昇降路固定体に設けられ、昇降位置を検出すべき高さ（以下、「検出高さ」という）にかご２が達した際にカム１２に係合して動作する位置スイッチ１３とを備えている。なお、以下においては、カム１２がかご２に、また、位置スイッチ１３が一側の昇降路壁１ａに固定されたかご用ガイドレール６に設けられた場合について説明する。
【００１７】
上記カム１２は、位置スイッチ１３の係合子に係合して位置スイッチ１３を動作させる動作面１２ａが所定の垂直度を有するように、例えば、昇降路壁１ａ側のかご枠柱８にカム取付腕１４を介して支持される。また、上記位置スイッチ１３に関しては、例えば、複数の位置スイッチ１３を１つの位置スイッチ取付板１５に取り付けることによってスイッチユニット１６を構成し、このスイッチユニット１６が一方のかご用ガイドレール６にスイッチユニット取付腕１７や取付クリップ１８等を介して支持される。なお、上記スイッチユニット１６は、各位置スイッチ１３が検出高さに合わせて配置され、その垂直度と、カム１２に対する設置間隔とが所定範囲値内に配置される。
【００１８】
また、昇降路１内には、一対の釣合い重り用ガイドレール１９が釣合い重り３を間に挟んで対向するように立設されており、上記釣合い重り３は、両側上下部に設けられたガイドシュー２０が上記釣合い重り用ガイドレール１９に係合することによって、その昇降方向が案内されている。なお、上記釣合い重り用ガイドレール１９は、レールブラケット２１等を介して昇降路梁や昇降路壁に固定され、例えば、昇降路壁１ｃに対向する奥側の昇降路壁１ｄに支持される。
【００１９】
次に、エレベータ装置の据付時に、カム１２及びスイッチユニット１６（位置スイッチ１３）からなる上記検出装置１１をかご２及びかご用ガイドレール６に取り付けるための取付装置、及び、その取付方法について説明する。
【００２０】
実施の形態１．
図３はこの発明の実施の形態１におけるエレベータ用検出装置の取付装置の平面図、図４はこの発明の実施の形態１におけるエレベータ用検出装置の取付装置の正面図であり、上記検出装置１１を昇降路１の昇降体及び昇降路固定体に取り付けるための取付装置２２が、エレベータ装置の据付時に、一側のかご用ガイドレール６に固定された状態を示したものである。図３及び図４において、かご用ガイドレール６は、その垂直度等の調整（いわゆる、芯出し）が完了し、昇降路１内に立設された状態となっている。ここで、上記かご用ガイドレール６は横断面が略Ｔ字状を呈しており、他側のかご用ガイドレール６との対向位置に配置され、かご２に設けられた案内手段７が係合することによってかご２の水平方向の移動を拘束する頭部６ａと、レールブラケット１０やこのレールブラケット１０に設けられたレールクリップ（図示せず）等が係合して昇降路壁１ａに支持されるフランジ部６ｂとを備えている。
【００２１】
そして、上記取付装置２２は、スイッチユニット１６（位置スイッチ１３）の取付位置に合わせて配置され、かご用ガイドレール６のフランジ部６ｂに取り付けられている。ここで、２３は一側面（以下、「取付面２３ａ」という）がかご用ガイドレール６のフランジ部６ｂの背面６ｃに接触することによって位置決めされた箱状を呈する固定金（固定部）、２４は固定金２３をかご用ガイドレール６のフランジ部６ｂに着脱自在に固定する固定手段、２５は固定金２３に設けられ、固定金２３の取付面２３ａ（かご用ガイドレール６の背面６ｃ）に対して略平行に配置された一側面（以下、「ゲージ支持面２５ａ」という）が、かご用ガイドレール６の側方に突出された略Ｌ字状を呈するゲージ取付金、２６は一端部がゲージ取付ネジ２７及びゲージ取付ナット２８によってゲージ取付金２５のゲージ支持面２５ａに設けられることによってこのゲージ取付金２５を介して固定金２３に設けられ、他端部がゲージ取付金２５から更にかご用ガイドレール６の側方に突設された板状を呈するゲージ、２９は先端ネジ部がゲージ取付金２５に形成されたネジ孔（図示せず）に螺嵌され、ゲージ取付金２５のゲージ支持面２５ａからの突出量によってゲージ２６の取付角度を微調整する調整ネジである。
【００２２】
なお、上記固定手段２４は、かご用ガイドレール６のフランジ部６ｂの前面に係合する取付クリップ３０と、固定金２３の取付面２３ａ及び取付クリップ３０に形成された各貫通孔（図示せず）に挿通されて、先端ネジ部に取付ナット３１が螺嵌された押えネジ３２とからなり、上記押えネジ３２を締付及び弛緩することによって、固定金２３をかご用ガイドレール６に対して着脱自在に構成する。
【００２３】
また、かご用ガイドレール６の一側に突出された、上記ゲージ２６のかご２に対向する一側面（以下、「取付基準面２６ａ」という）には、カム１２を取り付ける際の基準（以下、単に「取付基準」という）となるカム位置罫書線２６ｂと、スイッチユニット１６（位置スイッチ１３）の取付基準となるスイッチ位置罫書線２６ｃとが、所定の間隔を有して上下方向に形成されている。ここで、ゲージ２６は、カム１２及びスイッチユニット１６（位置スイッチ１３）の各取付位置及び取付向きに基づいて配置されており、取付基準面２６ａによって、カム１２及びスイッチユニット１６の取付向きと昇降路１の間口方向（取付基準面２６ａに直交する方向）の取付位置とが、また、カム位置罫書線２６ｂ及びスイッチ位置罫書線２６ｃとによって、カム１２及びスイッチユニット１６の取付間隔と昇降路１の奥行方向（取付基準面２６ａに平行な水平方向）の各取付位置とが決定される。
【００２４】
次に、上記構成を有する取付装置２２を使用して、検出装置１１を取り付ける際の手順について説明する。エレベータ装置の据付時、据付作業員は、先ず、昇降路１内の所定位置にかご用ガイドレール６を立設する。なお、かご用ガイドレール６の芯出し調整や固定方法等についての説明は省略する。次に、据付作業員は、カム位置罫書線２６ｂ及びスイッチ位置罫書線２６ｃを有するゲージ２６を備えた取付装置２２を、スイッチユニット１６の取付高さとほぼ同じ高さになるように、かご用ガイドレール６のフランジ部６ｂに固定する。具体的には、固定金２３の取付面２３ａをかご用ガイドレール６の背面６ｃに接触させた状態、即ち、固定金２３をかご用ガイドレール６の背面６ｃで位置決めした状態で押えネジ３２を締め付け、取付クリップ３０と固定金２３とによってフランジ部６ｂを挟持する。
【００２５】
なお、取付装置２２は、固定金２３の取付面２３ａがかご用ガイドレール６の背面６ｃに位置決めされることにより、固定金２３に支持されたゲージ２６も、かご用ガイドレール６の一側、例えば、図１における昇降路壁１ｄ側に突出するように、所定の位置及び方向に配置される。しかし、取付装置２２の取付誤差やかご用ガイドレール６の背面６ｃの平坦度等によっては、固定金２３をフランジ部６ｂに固定した際のゲージ２６の取付角度に多少の誤差が生じてしまうため、据付作業員は、ゲージ２６の取付角度に誤差が生じた場合には、ゲージ２６の取付基準面２６ａが、鉛直投影面上、かご用ガイドレール６の頭部６ａ間を結んだ直線と直行するように、調整ネジ２９を回転させて、ゲージ２６の取付角度を微調整する。
【００２６】
上記手順によって取付装置２２をかご用ガイドレール６へ取り付けた後、据付作業員は、検出装置１１の取付作業を実施する。即ち、ゲージ２６に設けられたカム１２の取付基準に基づいて、カム１２をかご２に取り付け、ゲージ２６に設けられたスイッチユニット１６（位置スイッチ１３）の取付基準に基づいて、スイッチユニット１６（位置スイッチ１３）をかご用ガイドレール６に取り付ける。なお、検出装置１１の取付に際しては、カム１２の取付が先であっても、スイッチユニット１６の取付が先であっても構わない。
【００２７】
ここで、図５は、この発明の実施の形態１におけるカム取付時の状態を示す図である。カム１２をかご２のかご枠柱８に取り付ける場合、据付作業員は、先ず、かご２を取付装置２２の設置高さまで走行させ、かご枠柱８のうち、カム１２を取り付ける部分が取付装置２２のゲージ２６とほぼ同じ高さとなるように、かご２を停止させる。次に、ゲージ２６の取付基準面２６ａの所定位置に直角定規３３ａを当て、この直角定規３３ａを基準にして、カム１２を配置する。ここで、据付作業員は、上記直角定規３３ａの長辺部が取付基準面２６ａに直交してかご２側に突出するように、その短辺部の一面を取付基準面２６ａに接触させ、目盛の付いた長辺部の端部をカム位置罫書線２６ｂに合わせて配置する。なお、カム１２の配置は、カム１２の動作面１２ａを取付基準面２６ａに直交する直角定規３３ａの長辺部に接触させることによって、カム１２の取付向きと取付基準面２６ａに平行な水平方向の取付位置とが決定され、カム１２を直角定規３３ａの長辺部の目盛に合わせて配置することによって、カム１２の取付基準面２６ａに直交する方向の取付位置が決定される。そして、上記手順によってカム１２を配置した後、カム取付腕１４をかご枠柱８に固定することによって、カム１２の取付が完了する。
【００２８】
一方、図６は、この発明の実施の形態１におけるスイッチユニット取付時の状態を示す図である。スイッチユニット１６をかご用ガイドレール６のフランジ部６ｂに取り付ける場合、据付作業員は、ゲージ２６の取付基準面２６ａの所定位置に直角定規３３ｂを当て、この直角定規３３ｂを基準にして、スイッチユニット１６を配置する。ここで、据付作業員は、上記直角定規３３ｂの長辺部が取付基準面２６ａに直交してかご２側に突出するように、その短辺部の一面を取付基準面２６ａに接触させ、目盛の付いた長辺部の端部をスイッチ位置罫書線２６ｃに合わせて配置する。なお、スイッチユニット１６の配置は、スイッチユニット１６の位置スイッチ１３の取付面や裏面等の基準面を、取付基準面２６ａに直交する直角定規３３ｂの長辺部に接触させることによって、スイッチユニット１６の取付向きと取付基準面２６ａに平行な水平方向の取付位置とが決定され、スイッチユニット１６を直角定規３３ｂの長辺部の目盛に合わせて配置することによって、スイッチユニット１６の取付基準面２６ａに直交する方向の取付位置が決定される。そして、上記手順によってスイッチユニット１６を配置した後、スイッチユニット取付腕１７をかご用ガイドレール６のフランジ部６ｂに固定することによって、スイッチユニット１６の取付が完了する。
【００２９】
そして、カム１２をかご２に取り付け、且つ、スイッチユニット１６（位置スイッチ１３）をかご用ガイドレール６に取り付けた後、押えネジ３２を弛緩することによって、取付装置２２をかご用ガイドレール６のフランジ部６ｂから取り外す。
【００３０】
この発明の実施の形態１によれば、エレベータの据付時、上記取付装置２２をかご用ガイドレール６のフランジ部６ｂに固定して、この取付装置２２を基準にカム１２及びスイッチユニット１６の双方の位置決め及び取付を実施することができるため、検出装置１１の昇降体及び昇降路固定体に対する取付を容易に且つ正確に実施することが可能となる。また、カム１２の取付基準とスイッチユニット１６（位置スイッチ１３）の取付基準との一元化が図られているため、従来のように、カム１２の取付後でなければ位置スイッチ１３の取付が実施できないといった問題もなく、検出装置１１の取付に際し、柔軟な対応を図ることが可能となる。
【００３１】
また、カム１２の取付基準と位置スイッチ１３の取付基準とを、ゲージ２６の取付基準面２６ａに形成された所定の間隔を有する罫書線で構成することにより、取付装置２２の構成を簡単にして、その製作を容易にすることもできる。また、取付装置２２はかご用ガイドレール６のフランジ部６ｂに対して着脱自在に構成されているため、検出装置１１の取付後に取付装置２２をかご用ガイドレール６から取り外して、取付装置２２を他のエレベータ装置の据付現場で使用することも可能である。
【００３２】
なお、実施の形態１では、カム１２をかご２に、また、スイッチユニット１６をかご用ガイドレール６に取り付ける場合について説明したが、例えば、カム１２を釣合い重り３に、スイッチユニット１６を釣合い重り用ガイドレール１９に取り付けても、かご２の昇降位置を検出できることは言うまでもなく、かかる構成の場合であっても、上記取付手順等によって同様の効果を奏することが可能である。
【００３３】
実施の形態２．
図７はこの発明の実施の形態２におけるエレベータ用検出装置の取付装置の平面図、図８は図７に示すエレベータ用検出装置の取付装置の取付状態を示す図である。図７及び図８において、検出装置１１を昇降路１の昇降体及び昇降路固定体に取り付けるための取付装置２２は、一側面（以下、「取付面３４ａ」という）がかご用ガイドレール６の背面６ｃに接触することによって位置決めされた第１固定金３４（第１固定部）と、第１固定金３４の一側面に形成された貫通孔３４ｂに挿通された固定ネジ３５と、固定ネジ３５の先端ネジ部に一端部が螺嵌され、固定ネジ３５の回動によって、第１固定金３４に対して進退自在に構成された第２固定金３６（第２固定部）と、第１固定金３４及び第２固定金３６からなる固定部を、かご用ガイドレール６のフランジ部６ｂに対して着脱自在に固定する固定手段と、第２取付金３６に設けられたゲージ取付金２５、及び、上記ゲージ２６、ゲージ取付ネジ２７、ゲージ取付ナット２８、調整ネジ２９とから構成される。
【００３４】
なお、上記固定手段は、第１固定金３４の取付面３４ａに斜設された第１係合片３７ａと、第２固定金３６の取付面３４ａに平行な面に斜設された第２係合片３７ｂとを備え、上記第１係合片３７ａと第２係合片３７ｂとは、取付面３４ａから遠くなるに従って近づくように互いに対向して配置されている。そして、上記構成を有する取付装置２２では、固定ネジ３５を一側に回転させることにより、第１係合片３７ａと第２係合片３７ｂとが近づくように第２固定金３６が移動される。したがって、取付装置２２をかご用ガイドレール６のフランジ部６ｂに取り付ける場合には、第１固定金３４の取付面３４ａをかご用ガイドレール６の背面６ｃに接触させた状態で固定ネジ３５を一側に回転させ、第１係合片３７ａと第２係合片３７ｂとによってかご用ガイドレール６のフランジ部６ｂを両側から挟持することにより、取付装置２２を固定する。なお、その他の取付装置２２の構成及び検出装置１１の取付方法については、実施の形態１と同様である。
【００３５】
この発明の実施の形態２によれば、取付装置２２のフランジ部６ｂへの取付に際し、固定ネジ３５を一側に回転させることによって簡単に取付装置２２をかご用ガイドレール６のフランジ部６ｂに固定することができ、固定部の位置決め作業等も不要となって作業性が大幅に向上する。なお、その他は、実施の形態１と同様の効果を奏する。
【図面の簡単な説明】
【００３６】
【図１】エレベータ装置据付後の状態を示す平面図である。
【図２】エレベータ装置据付後の状態を示す要部側面図である。
【図３】この発明の実施の形態１におけるエレベータ用検出装置の取付装置の平面図である。
【図４】この発明の実施の形態１におけるエレベータ用検出装置の取付装置の正面図である。
【図５】この発明の実施の形態１におけるカム取付時の状態を示す図である。
【図６】この発明の実施の形態１におけるスイッチユニット取付時の状態を示す図である。
【図７】この発明の実施の形態２におけるエレベータ用検出装置の取付装置の平面図である。
【図８】図７に示すエレベータ用検出装置の取付装置の取付状態を示す図である。
【符号の説明】
【００３７】
１  昇降路、  １ａ  昇降路壁、  １ｂ  昇降路壁、  １ｃ  昇降路壁、
１ｄ  昇降路壁、  ２  かご、  ３  釣合い重り、  ４  かご室、  ５  かご枠、
６  かご用ガイドレール、  ６ａ  頭部、  ６ｂ  フランジ部、  ６ｃ  背面、
７  案内手段、  ８  かご枠柱、  ９  かご枠上梁、  １０  レールブラケット、
１１  検出装置、  １２  カム、  １２ａ  動作面、  １３  位置スイッチ、
１４  カム取付腕、  １５  位置スイッチ取付板、  １６  スイッチユニット、
１７  スイッチユニット取付腕、  １８  取付クリップ、
１９  釣合い重り用ガイドレール、  ２０  ガイドシュー、
２１  レールブラケット、  ２２  取付装置、  ２３  固定金、  ２３ａ  取付面、
２４  固定手段、  ２５  ゲージ取付金、  ２５ａ  ゲージ支持面、  ２６  ゲージ、
２６ａ  取付基準面、  ２６ｂ  カム位置罫書線、  ２６ｃ  スイッチ位置罫書線、
２７  ゲージ取付ネジ、  ２８  ゲージ取付ナット、  ２９  調整ネジ、
３０  取付クリップ、  ３１  取付ナット、  ３２  押えネジ、  ３３ａ  直角定規、
３３ｂ  直角定規、  ３４  第１固定金、  ３４ａ  取付面、  ３４ｂ  貫通孔、
３５  固定ネジ、  ３６  第２固定金、  ３７ａ  第１係合片、  ３７ｂ  第２係合片
【図１】
2007223712.tif 000003
【図２】
2007223712.tif 000004
【図３】
2007223712.tif 000005
【図４】
2007223712.tif 000006
【図５】
2007223712.tif 000007
【図６】
2007223712.tif 000008
【図７】
2007223712.tif 000009
【図８】
2007223712.tif 000010